(57)【要約】【課題】吸脱着材を使用することのみで、又はウォッベ指数に応じて燃料ガスに空気を添加することのみで燃料ガスの燃焼の安定化を図る場合に比べ、燃料ガスの燃焼を安定させることができるガス調整装置、燃焼システム及びプログラムを提供する。【解決手段】ガス調整装置１４は、ガス流路３２に供給された燃料ガスを通過させることで燃料ガスの含有成分の吸着及び脱着を行う吸脱着部２６と、上流側ガス流路３２Ａに、調整ガスを供給可能な供給部２８と、上流側ガス流路３２Ａ内の燃料ガスに関するＷＩ実測値を得て、得たＷＩ実測値を基に、ＷＩ実測値がＷＩ範囲内に収まるように調整ガスを下流側ガス流路３２Ｂに供給する制御を供給部２８に対して行う制御装置３１と、を含む。【選択図】図１
2016191024.tif 000002
【特許請求の範囲】
【請求項１】
ガス流路に配置された吸脱着部であって、前記ガス流路に供給された燃料ガスを通過させることで前記燃料ガスの含有成分の吸着及び脱着を行う吸脱着部と、
前記ガス流路のうちの前記吸脱着部の位置よりも下流側の下流側ガス流路に、前記燃料ガスの発熱量を上げる第１ガス及び前記燃料ガスの発熱量を下げる第２ガスのうちの少なくとも一方を供給可能な供給部と、
前記下流側ガス流路内の前記燃料ガスに関する燃焼性を表す指標を得て、得た前記指標を基に、前記指標が予め定められた範囲内に収まるように前記第１ガス及び前記第２ガスの少なくとも一方を前記下流側ガス流路に供給する制御を前記供給部に対して行う制御部と、
を含むガス調整装置。
【請求項２】
前記制御部は、前記指標が前記予め定められた範囲の下限値よりも小さい場合に、前記指標が前記予め定められた範囲内に収まるように前記第１ガスを前記下流側ガス流路に供給する制御を前記供給部に対して行う請求項１に記載のガス調整装置。
【請求項３】
前記制御部は、前記指標が前記予め定められた範囲の下限値よりも小さい場合に、前記指標が前記予め定められた範囲内に収まるように、前記指標と理想値との乖離度に応じて定められた供給量で前記第１ガスを前記下流側ガス流路に供給する制御を前記供給部に対して行う請求項２に記載のガス調整装置。
【請求項４】
前記制御部は、前記指標が前記予め定められた範囲の上限値よりも大きい場合に、前記指標が前記予め定められた範囲内に収まるように前記第２ガスを前記下流側ガス流路に供給する請求項１から請求項３の何れか１項に記載のガス調整装置。
【請求項５】
前記制御部は、前記指標が前記予め定められた範囲の上限値よりも大きい場合に、前記指標が前記予め定められた範囲内に収まるように、前記指標と理想値との乖離度に応じて定められた供給量で前記第２ガスを前記下流側ガス流路に供給する制御を前記供給部に対して行う請求項４に記載のガス調整装置。
【請求項６】
前記制御部は、前記指標が前記予め定められた範囲内の場合に、前記指標が前記予め定められた範囲内に保持されるように前記第１ガス及び前記第２ガスの少なくとも一方を前記下流側ガス流路に供給する制御を前記供給部に対して行う請求項１から請求項５の何れか１項に記載のガス調整装置。
【請求項７】
ガス流路に配置された吸脱着部であって、前記ガス流路に供給された燃料ガスを通過させることで前記燃料ガスの含有成分の吸着及び脱着を行う吸脱着部と、
前記ガス流路のうちの前記吸脱着部の位置よりも上流側の上流側ガス流路に、前記燃料ガスの発熱量を上げる第１ガス及び前記燃料ガスの発熱量を下げる第２ガスのうちの少なくとも一方を供給可能な供給部と、
前記上流側ガス流路内の前記燃料ガスに関する燃焼性を表す指標を得て、得た前記指標を基に、前記指標が予め定められた範囲内に収まるように前記第１ガス及び前記第２ガスの少なくとも一方を前記上流側ガス流路に供給する制御を前記供給部に対して行う制御部と、
を含むガス調整装置。
【請求項８】
前記制御部は、前記指標が前記予め定められた範囲の下限値よりも小さい場合に、前記指標が前記予め定められた範囲内に収まるように前記第１ガスを前記上流側ガス流路に供給する制御を前記供給部に対して行う請求項７に記載のガス調整装置。
【請求項９】
前記制御部は、前記指標が前記予め定められた範囲の下限値よりも小さい場合に、前記指標が前記予め定められた範囲内に収まるように、前記指標と理想値との乖離度に応じて定められた供給量で前記第１ガスを前記上流側ガス流路に供給する制御を前記供給部に対して行う請求項８に記載のガス調整装置。
【請求項１０】
前記制御部は、前記指標が前記予め定められた範囲の上限値よりも大きい場合に、前記指標が前記予め定められた範囲内に収まるように前記第２ガスを前記上流側ガス流路に供給する請求項７から請求項９の何れか１項に記載のガス調整装置。
【請求項１１】
前記制御部は、前記指標が前記予め定められた範囲の上限値よりも大きい場合に、前記指標が前記予め定められた範囲内に収まるように、前記指標と理想値との乖離度に応じて定められた供給量で前記第２ガスを前記上流側ガス流路に供給する制御を前記供給部に対して行う請求項１０に記載のガス調整装置。
【請求項１２】
前記制御部は、前記指標が前記予め定められた範囲内の場合に、前記指標が前記予め定められた範囲内に保持されるように前記第１ガス及び前記第２ガスの少なくとも一方を前記上流側ガス流路に供給する制御を前記供給部に対して行う請求項７から請求項１１の何れか１項に記載のガス調整装置。
【請求項１３】
前記第１ガスは、前記含有成分に相当するガスである請求項１から請求項１２の何れか１項に記載のガス調整装置。
【請求項１４】
前記第２ガスは、空気である請求項１から請求項１３の何れか１項に記載のガス調整装置。
【請求項１５】
請求項１から請求項１４の何れか１項に記載のガス調整装置と、
前記ガス調整装置により供給された前記燃料ガスを燃焼する燃焼器と、
を含む燃焼システム。
【請求項１６】
コンピュータを、
請求項１から請求項１４の何れか１項に記載のガス調整装置における制御部として機能させるためのプログラム。
【発明の詳細な説明】
【技術分野】
【０００１】
本発明は、ガス調整装置、燃焼システム及びプログラムに関する。
【背景技術】
【０００２】
近年、大都市圏から離れた地方での天然ガスの需要の増加に伴い、ＬＮＧ（Ｌｉｑｕｅｆｉｅｄ  Ｎａｔｕｒａｌ  Ｇａｓ：液化天然ガス）サテライト基地が多く建設されている。ＬＮＧサテライト基地は、ＬＮＧ貯槽及び気化器を備えた設備であり、沿岸のＬＮＧ受入基地からタンクローリによってＬＮＧがＬＮＧサテライト基地に輸送される。そして、ＬＮＧは、ＬＮＧ貯槽に一旦貯蔵した後に、ＬＮＧを気化器で気化して工業団地や住宅地、工場などに燃料ガスとして供給される。
【０００３】
気化器によって気化されて得られる燃料ガスの含有成分の組成比は、常に一定であるわけではなく、天然ガスの産地、気化器の温度、気化器の起動時、気化器に新たなＬＮＧが供給される前から気化器に残存していたＬＮＧ等に起因して変動する。また、燃料ガスの含有成分の組成比は、気化器に供給されるガスの種類が変わった場合（例えば、異なる産地のＬＮＧに切り替わった場合）にも変動する。このように、燃料ガスの含有成分の組成比が変動すると、これに伴って、燃料ガスの発熱量や燃焼性を示す指標であるウォッベ指数も変動する。
【０００４】
ところで、一般的に、燃料ガスの供給先であるガスタービン、ガスエンジン、工業炉などの燃焼器は、予め定められた発熱量やウォッベ指数となる組成比の含有成分の燃料ガスが気化器から供給されることが望ましく、このときに燃焼効率や燃焼状態が最適となるように設計及び調整されている。よって、燃焼器において安定した燃焼を実現するためには、燃料ガスの発熱量やウォッベ指数の変動は、できるだけ小さい方が好ましい。
【０００５】
燃料ガスの発熱量を安定させるための技術としては、特許文献１に記載の技術及び非特許文献１に記載の技術が知られている。
【０００６】
特許文献１には、燃料ガスが流れるガス流路の途中に設けられた吸脱着材（例えば、活性炭）が燃料ガスの含有成分を吸着及び脱着することで燃料ガスの発熱量の変動を抑制する技術が開示されている。
【０００７】
ここで、燃料ガスの含有成分の吸着とは、例えば、吸脱着材が、燃料ガスに低沸点成分よりも高沸点成分が多く含まれている場合に高沸点成分を吸着することを意味する。また、燃料ガスの含有成分の脱着とは、高沸点成分よりも低沸点成分が多く含まれている場合に高沸点成分を脱着することを意味する。なお、本明細書において、低沸点成分とは、例えば、メタンの発熱量以下の発熱量のガス（例えば、ヘリウムや水素等）を指し、高沸点成分とは、例えば、メタンの発熱量を上回る発熱量のガス（例えば、プロパンやブタン等）を指す。また、本明細書中において、脱着とは、例えば、燃料ガスの含有成分が吸脱着材から離れることを意味する。
【０００８】
一方、非特許文献１には、ガス流路内の燃料ガスの燃焼性を示す指標であるウォッベ指数を求め、求めたウォッベ指数に応じてガス流路内の燃料ガスに空気を添加することで、燃料ガスの発熱量の変動を抑制する技術が開示されている。
【先行技術文献】
【特許文献】
【０００９】
【特許文献１】特開２００８−２１４５６５号公報
【非特許文献】
【００１０】
【非特許文献１】レミー  コーディア（Remy CORDIER）、「ウォッベ指数の計測及び調整についての新製品及びシステム」（New appliances and systems for Wobbe Index measuring and regulating in industry）、国際ガス組合研究会議２００８の会報（Proceedings of International Gas union Research Conference 2008）、（アメリカ）、２０１０年、第１巻、ｐ．２３１１
【発明の概要】
【発明が解決しようとする課題】
【００１１】
しかしながら、特許文献１に記載の技術では、燃料ガスの含有成分の組成比が大幅に急変した場合、吸脱着材が作用して、燃料ガスの発熱量の大幅な急変を抑制することができるものの、燃料ガスの発熱量を一定の水準に保持することが困難である。
【００１２】
また、非特許文献１に記載の技術では、燃料ガスの発熱量を一定の水準に保持することはできるものの、燃料ガスの含有成分の組成比の大幅な急変に伴う燃料ガスの発熱量の大幅な急変を抑制することが困難である。
【００１３】
本発明は上記実情を鑑みて成されたものであり、吸脱着材を使用することのみで、又はウォッベ指数に応じて燃料ガスに空気を添加することのみで燃料ガスの燃焼の安定化を図る場合に比べ、燃料ガスの燃焼を安定させることができるガス調整装置、燃焼システム及びプログラムを提供することを目的とする。
【課題を解決するための手段】
【００１４】
上記目的を達成するために、請求項１に記載のガス調整装置は、ガス流路に配置された吸脱着部であって、前記ガス流路に供給された燃料ガスを通過させることで前記燃料ガスの含有成分の吸着及び脱着を行う吸脱着部と、前記ガス流路のうちの前記吸脱着部の位置よりも下流側の下流側ガス流路に、前記燃料ガスの発熱量を上げる第１ガス及び前記燃料ガスの発熱量を下げる第２ガスのうちの少なくとも一方を供給可能な供給部と、前記下流側ガス流路内の前記燃料ガスに関する燃焼性を表す指標を得て、得た前記指標を基に、前記指標が予め定められた範囲内に収まるように前記第１ガス及び前記第２ガスの少なくとも一方を前記下流側ガス流路に供給する制御を前記供給部に対して行う制御部と、を含む。
【００１５】
請求項２に記載のガス調整装置は、請求項１に記載のガス調整装置において、前記制御部が、前記指標が前記予め定められた範囲の下限値よりも小さい場合に、前記指標が前記予め定められた範囲内に収まるように前記第１ガスを前記下流側ガス流路に供給する制御を前記供給部に対して行う、とされている。
【００１６】
請求項３に記載のガス調整装置は、請求項２に記載のガス調整装置において、前記制御部が、前記指標が前記予め定められた範囲の下限値よりも小さい場合に、前記指標が前記予め定められた範囲内に収まるように、前記指標と理想値との乖離度に応じて定められた供給量で前記第１ガスを前記下流側ガス流路に供給する制御を前記供給部に対して行う、とされている。
【００１７】
請求項４に記載のガス調整装置は、請求項１から請求項３の何れか１項に記載のガス調整装置において、前記制御部が、前記指標が前記予め定められた範囲の上限値よりも大きい場合に、前記指標が前記予め定められた範囲内に収まるように前記第２ガスを前記下流側ガス流路に供給する、とされている。
【００１８】
請求項５に記載のガス調整装置は、請求項４に記載のガス調整装置において、前記制御部が、前記指標が前記予め定められた範囲の上限値よりも大きい場合に、前記指標が前記予め定められた範囲内に収まるように、前記指標と理想値との乖離度に応じて定められた供給量で前記第２ガスを前記下流側ガス流路に供給する制御を前記供給部に対して行う、とされている。
【００１９】
請求項６に記載のガス調整装置は、請求項１から請求項５の何れか１項に記載のガス調整装置において、前記制御部が、前記指標が前記予め定められた範囲内の場合に、前記指標が前記予め定められた範囲内に保持されるように前記第１ガス及び前記第２ガスの少なくとも一方を前記下流側ガス流路に供給する制御を前記供給部に対して行う、とされている。
【００２０】
上記目的を達成するために、請求項７に記載のガス調整装置は、ガス流路に配置された吸脱着部であって、前記ガス流路に供給された燃料ガスを通過させることで前記燃料ガスの含有成分の吸着及び脱着を行う吸脱着部と、前記ガス流路のうちの前記吸脱着部の位置よりも上流側の上流側ガス流路に、前記燃料ガスの発熱量を上げる第１ガス及び前記燃料ガスの発熱量を下げる第２ガスのうちの少なくとも一方を供給可能な供給部と、前記上流側ガス流路内の前記燃料ガスに関する燃焼性を表す指標を得て、得た前記指標を基に、前記指標が予め定められた範囲内に収まるように前記第１ガス及び前記第２ガスの少なくとも一方を前記上流側ガス流路に供給する制御を前記供給部に対して行う制御部と、を含む。
【００２１】
請求項８に記載のガス調整装置は、請求項７に記載のガス調整装置において、前記制御部が、前記指標が前記予め定められた範囲の下限値よりも小さい場合に、前記指標が前記予め定められた範囲内に収まるように前記第１ガスを前記上流側ガス流路に供給する制御を前記供給部に対して行う、とされている。
【００２２】
請求項９に記載のガス調整装置は、請求項８に記載のガス調整装置において、前記制御部が、前記指標が前記予め定められた範囲の下限値よりも小さい場合に、前記指標が前記予め定められた範囲内に収まるように、前記指標と理想値との乖離度に応じて定められた供給量で前記第１ガスを前記上流側ガス流路に供給する制御を前記供給部に対して行う、とされている。
【００２３】
請求項１０に記載のガス調整装置は、請求項７から請求項９の何れか１項に記載のガス調整装置において、前記制御部が、前記指標が前記予め定められた範囲の上限値よりも大きい場合に、前記指標が前記予め定められた範囲内に収まるように前記第２ガスを前記上流側ガス流路に供給する、とされている。
【００２４】
請求項１１に記載のガス調整装置は、請求項１０に記載のガス調整装置において、前記制御部が、前記指標が前記予め定められた範囲の上限値よりも大きい場合に、前記指標が前記予め定められた範囲内に収まるように、前記指標と理想値との乖離度に応じて定められた供給量で前記第２ガスを前記上流側ガス流路に供給する制御を前記供給部に対して行う、とされている。
【００２５】
請求項１２に記載のガス調整装置は、請求項７から請求項１１の何れか１項に記載のガス調整装置において、前記制御部が、前記指標が前記予め定められた範囲内の場合に、前記指標が前記予め定められた範囲内に保持されるように前記第１ガス及び前記第２ガスの少なくとも一方を前記上流側ガス流路に供給する制御を前記供給部に対して行う、とされている。
【００２６】
請求項１３に記載のガス調整装置は、請求項１から請求項１２の何れか１項に記載のガス調整装置において、前記第１ガスが、前記含有成分に相当するガスである、とされている。
【００２７】
請求項１４に記載のガス調整装置は、請求項１から請求項１３の何れか１項に記載のガス調整装置において、前記第２ガスが、空気である、とされている。
【００２８】
上記目的を達成するために、請求項１５に記載の燃焼システムは、請求項１から請求項１４の何れか１項に記載のガス調整装置と、前記ガス調整装置により供給された前記燃料ガスを燃焼する燃焼器と、を含む。
【００２９】
上記目的を達成するために、請求項１６に記載のプログラムは、コンピュータを、請求項１から請求項１４の何れか１項に記載のガス調整装置における制御部として機能させるためのプログラム、とされている。
【発明の効果】
【００３０】
請求項１、請求項７、請求項１５、及び請求項１６に係る発明によれば、吸脱着材を使用することのみで、又はウォッベ指数に応じて燃料ガスに空気を添加することのみで燃料ガスの燃焼の安定化を図る場合に比べ、燃料ガスの燃焼を安定させることができる。
【００３１】
請求項２及び請求項８に係る発明によれば、予め定められた範囲の下限値とは異なる値を参照して第１ガスの供給の制御を行う場合に比べ、指標が予め定められた範囲外に下降したとしても、指標を予め定められた範囲内に高精度に収めることができる。
【００３２】
請求項３及び請求項９に係る発明によれば、乖離度とは無関係に定められた供給量で第１ガスの供給を行う場合に比べ、指標が予め定められた範囲外に下降したとしても、指標を理想値に高精度に近付けることができる。
【００３３】
請求項４及び請求項１０に係る発明によれば、予め定められた範囲の上限値とは異なる値を参照して第２ガスの供給の制御を行う場合に比べ、指標が予め定められた範囲外に上昇したとしても、指標を予め定められた範囲内に高精度に収めることができる。
【００３４】
請求項５及び請求項１１に係る発明によれば、乖離度とは無関係に定められた供給量で第２ガスの供給を行う場合に比べ、指標が予め定められた範囲外に上昇したとしても、指標を理想値に高精度に近付けることができる。
【００３５】
請求項６及び請求項１２に係る発明によれば、指標が予め定められた範囲内の場合に供給部に対して制御が全く行われない場合に比べ、予め定められた範囲内に収められた指標が予め定められた範囲外に逸脱することを抑制することができる。
【００３６】
請求項１３に係る発明によれば、燃料ガスの含有成分に相当するガス以外のガスを第１ガスとして採用する場合に比べ、燃料ガスの含有成分の組成比を容易に調整することができる。
【００３７】
請求項１４に係る発明によれば、第２ガスを空気以外のガスを第２ガスとして採用する場合に比べ、燃料ガスの含有成分の組成比を低コストで調整することができる。
【図面の簡単な説明】
【００３８】
【図１】第１実施形態に係る燃焼システムの全体構成の一例を示す概略構成図である。
【図２】第１実施形態に係る燃焼システムの電気系の構成の一例を示すブロック図である。
【図３】実施形態に係るガス調整処理の流れの一例を示すフローチャートである。
【図４】実施形態に係るガス調整処理に含まれるＷＩ保持処理の流れの一例を示すフローチャートである。
【図５】吸脱着部に活性炭が充填されていない状態で燃料ガスの高沸点成分が急増した場合のＷＩ実測値の経時変化の一例、並びに吸脱着部の入口及び出口の各々における燃料ガスの発熱量の経時変化の一例を示すグラフである。
【図６】吸脱着部にαリットルの活性炭が充填された状態で燃料ガスの高沸点成分が急増した場合に予想されるＷＩ実測値の経時変化の一例、並びに吸脱着部の入口及び出口の各々における燃料ガスの発熱量の経時変化の一例を示すグラフである。
【図７】吸脱着部にβリットル（＞αリットル）の活性炭が充填された状態で燃料ガスの高沸点成分が急増した場合に予想されるＷＩ実測値の経時変化の一例、並びに吸脱着部の入口及び出口の各々における燃料ガスの発熱量の経時変化の一例を示すグラフである。
【図８】吸脱着部にγリットル（＞βリットル）の活性炭が充填された状態で燃料ガスの高沸点成分が急増した場合に予想されるＷＩ実測値の経時変化の一例、並びに吸脱着部の入口及び出口の各々における燃料ガスの発熱量の経時変化の一例を示すグラフである。
【図９】吸脱着部に活性炭が充填されていない状態で燃料ガスの低沸点成分が急増した場合に予想されるＷＩ実測値の経時変化の一例、並びに吸脱着部の入口及び出口の各々における燃料ガスの発熱量の経時変化の一例を示すグラフである。
【図１０】吸脱着部にαリットルの活性炭が充填された状態で燃料ガスの低沸点成分が急増した場合に予想されるＷＩ実測値の経時変化の一例、並びに吸脱着部の入口及び出口の各々における燃料ガスの発熱量の経時変化の一例を示すグラフである。
【図１１】吸脱着部にβリットルの活性炭が充填された状態で燃料ガスの低沸点成分が急増した場合に予想されるＷＩ実測値の経時変化の一例、並びに吸脱着部の入口及び出口の各々における燃料ガスの発熱量の経時変化の一例を示すグラフである。
【図１２】吸脱着部にγリットルの活性炭が充填された状態で燃料ガスの低沸点成分が急増した場合に予想されるＷＩ実測値の経時変化の一例、並びに吸脱着部の入口及び出口の各々における燃料ガスの発熱量の経時変化の一例を示すグラフである。
【図１３】第２実施形態に係る燃焼システムの全体構成の一例を示す概略構成図である。
【発明を実施するための形態】
【００３９】
以下、図面を参照して、本発明を実施するための形態の一例について詳細に説明する。
【００４０】
［第１実施形態］
一例として図１に示すように、本第１実施形態に係る燃焼システム１０Ａは、気化器１２、ガス調整装置１４、燃焼器１６、及びガス管１８を含む。
【００４１】
気化器１２は、ＬＮＧ貯槽２４にガス管２２を介して接続されている。ＬＮＧ貯槽２４には、例えば、タンクローリによって輸送されたＬＮＧが貯蔵されており、ＬＮＧ貯槽２４内のＬＮＧは、ガス管２２を介して気化器１２に供給される。
【００４２】
気化器１２は、ガス管１８を介して燃焼器１６に接続されており、ＬＮＧ貯槽２４からガス管２２を介して供給されたＬＮＧを気化し、気化して得た燃料ガスを、ガス管１８内に排出する。気化器１２からガス管１８内に排出されたガスは、ガス調整装置１４を介して燃焼器１６に供給される。
【００４３】
なお、気化器１２によって気化されて得られる燃料ガスは、例えば、メタン、エタン、プロパン、ブタン等を含有成分として有するガスである。燃料ガスの含有成分は、低沸点成分と高沸点成分とに大別される。
【００４４】
燃焼器１６は、気化器１２からガス調整装置１４を介して供給された燃料ガスを燃焼させる。燃焼器１６の一例としては、ガスタービン、ガスエンジン、又は工業炉等が挙げられる。
【００４５】
ガス調整装置１４は、吸脱着部２６、供給部２８、ＷＩ（Ｗｏｂｂｅ  Ｉｎｄｅｘ：ウォッベ指数）計測器３０、及び制御装置３１を含む。
【００４６】
制御装置３１は、ガス調整装置１４の全体を制御する。なお、本第１実施形態において、制御装置３１は、コンピュータによって実現されるが、本発明はこれに限定されるものではない。例えば、制御装置３１は、ＡＳＩＣ（Application Specific Integrated Circuit）やプログラマブルロジックデバイス等のハードウェア構成で実現されてもよいし、複数種類のハードウェア構成の組み合わせで実現されてもよい。
【００４７】
ガス管１８には、気化器１２によって排出された燃料ガスが流れるガス流路３２が形成されており、吸脱着部２６は、ガス流路３２に配置されている。
【００４８】
図１に示す例では、吸脱着部２６がガス流路３２の途中に挿入されており、ガス流路３２は、上流側ガス流路３２Ａ及び下流側ガス流路３２Ｂを有する。すなわち、上流側ガス流路３２Ａとは、ガス流路３２のうちの吸脱着部２６よりも上流側（気化器１２寄り）のガス流路を指し、下流側ガス流路３２Ｂとは、ガス流路３２のうちの吸脱着部２６よりも下流側（燃焼器１６寄り）のガス流路を指す。
【００４９】
吸脱着部２６は、上流側ガス流路３２Ａに供給された燃料ガスを通過させることで燃料ガスの含有成分の吸着及び脱着を行う。具体的には、吸脱着部２６に活性炭２６Ａが充填されており、燃料ガスが活性炭２６Ａを通過することで、活性炭２６Ａが燃料ガスの含有成分の吸着及び脱着を行う。すなわち、活性炭２６Ａは、高沸点成分を相対的に多く含む燃料ガスが通過する場合、高沸点成分を吸着する。また、活性炭２６Ａは、高沸点成分を相対的に少なく含む燃料ガスが通過する場合、高沸点成分を脱着する。これにより、燃料ガスの発熱量に大きく寄与する高沸点成分の含有率の平準化が可能となる。
【００５０】
なお、活性炭２６Ａの一例としては、石炭原料活性炭、ヤシガラ活性炭、木炭、石油原料活性炭、竹炭、フェノール樹脂活性炭、レーヨン由来活性炭、アクロニトリル活性炭、草炭、おがくず炭、泥炭等が挙げられる。
【００５１】
また、本第１実施形態では、吸脱着部２６に活性炭２６Ａが充填されているが、本発明はこれに限定されるものではない。例えば、吸脱着部２６には、ゼオライト、シリカゲル、メソポーラスシリカ、活性アルミナ、又は有機金属錯体等の他の吸脱着材が充填されてもよいし、複数種類の吸脱着材が充填されてもよい。
【００５２】
供給部２８は、プロパン供給源３４、空気供給源３６、第１電磁弁３８、及び第２電磁弁４０を含む。
【００５３】
プロパン供給源３４には、圧縮されたプロパンが充填されている。プロパン供給源３４の排出口は、供給用ガス流路４２を介して下流側ガス流路３２Ｂに接続されており、プロパン供給源３４は、供給用ガス流路４２を介して下流側ガス流路３２Ｂにプロパンを供給する。
【００５４】
第１電磁弁３８は、供給用ガス流路４２に設置され、かつ、制御装置３１に接続されており、制御装置３１の制御下で、供給用ガス流路４２を開閉することで、プロパン供給源３４によって下流側ガス流路３２Ｂに供給されるプロパンの供給量を調節する。なお、本第１実施形態では、第１電磁弁３８の一例として、比例弁が採用されている。従って、供給用ガス流路４２の開閉には、供給用ガス流路４２を最大に開口したり、完全に閉口したりするという意味の他に、供給用ガス流路４２を拡げたり、狭くしたりするという意味も含まれる。
【００５５】
空気供給源３６には、圧縮された空気が充填されている。空気供給源３６の排出口は、供給用ガス流路４４を介して下流側ガス流路３２Ｂに接続されており、空気供給源３６は、供給用ガス流路４４を介して下流側ガス流路３２Ｂに空気を供給する。
【００５６】
第２電磁弁４０は、供給用ガス流路４４に設置され、かつ、制御装置３１に接続されており、第２電磁弁４０の制御下で、供給用ガス流路４４を開閉することで、空気供給源３６によって下流側ガス流路３２Ｂに供給される空気の供給量を調節する。なお、本第１実施形態では、第２電磁弁４０の一例として、比例弁が採用されている。従って、供給用ガス流路４４の開閉には、供給用ガス流路４４を最大に開口したり、完全に閉口したりするという意味の他に、供給用ガス流路４４を拡げたり、狭くしたりするという意味も含まれる。
【００５７】
なお、プロパン供給源３４により下流側ガス流路３２Ｂに供給されるプロパンは、本発明に係る第１ガスの一例であり、空気供給源３６により下流側ガス流路３２Ｂに供給される空気は、本発明にかかる第２ガスの一例である。
【００５８】
また、以下では、説明の便宜上、プロパン供給源３４によりガス流路３２に供給されるプロパン及び空気供給源３６によりガス流路３２に供給される空気を区別して説明する必要がない場合は、「調整ガス」と称する。
【００５９】
ＷＩ計測器３０は、下流側ガス流路３２Ｂに接続されており、下流側ガス流路３２Ｂ内の燃料ガスに関するＷＩを計測する。また、ＷＩ計測器３０は、制御装置３１に接続されており、制御装置３１は、ＷＩ計測器３０によって計測されたＷＩを取得する。
【００６０】
なお、本第１実施形態では、調整ガスが燃料ガスに十分に混ざるように、ＷＩ計測器３０と下流側ガス流路３２Ｂとの接続点と供給部２８と下流側ガス流路３２Ｂとの接続点との距離が、下流側ガス流路３２Ｂに流れる燃料ガスの流速として予想される流速や装置間の応答性等に応じて定められている。装置間の応答性とは、例えば、ＷＩ計測器３０と制御装置３１との間の応答性、及び供給部２８と制御装置３１との間の応答性を指す。また、調整ガスが燃料ガスに十分に混ざるとは、例えば、結果的にＷＩ実測値が少なくともＷＩ範囲８０（図５〜図１２参照）内に収まる程度に、かつ、ガス管１８内の径方向に濃度分布が均一になるように調整ガスが燃料ガスに混ざること意味する。
【００６１】
一例として図２に示すように、制御装置３１は、ＣＰＵ（Central Processing Unit）５０、一次記憶部５２、二次記憶部５４、及びインプット・アウトプット・インターフェース（Ｉ／Ｏ）５６を含む。ＣＰＵ５０、一次記憶部５２、二次記憶部５４、及びＩ／Ｏ５６は、バス５８を介して相互に接続されている。
【００６２】
ＣＰＵ５０は、ガス調整装置１４の全体の動作を制御する。一次記憶部５２は、揮発性のメモリであり、例えば、ＲＡＭ（Random Access Memory）である。二次記憶部５４は、不揮発性のメモリであり、例えば、ＥＥＰＲＯＭ（Electrically Erasable and Programmable）、フラッシュメモリ、又はＨＤＤ（Hard Disk Drive）である。
【００６３】
Ｉ／Ｏ５６は、ＣＰＵ５０と各種の入出力デバイスとを電気的に接続してＣＰＵ５０と各種の入出力デバイスとの間の各種情報の送受信を司る。
【００６４】
ガス調整装置１４は、Ｉ／Ｏ５６に接続された入出力デバイスとしてＷＩ計測器３０を備えており、ＣＰＵ５０は、ＷＩ計測器３０によって計測されたＷＩを取得する。
【００６５】
ガス調整装置１４は、Ｉ／Ｏ５６に接続された入出力デバイスとして受付デバイス６０を備えている。受付デバイス６０は、燃焼システム１０Ａの所有者や管理者等からの指示を受け付け、ＣＰＵ５０は、受付デバイス６０によって受け付けられた指示を把握する。なお、受付デバイス６０の一例としては、ハードキーやタッチパネル等が挙げられる。
【００６６】
ガス調整装置１４は、Ｉ／Ｏ５６に接続された入出力デバイスとして表示デバイス６２を備えている。表示デバイス６２は、ＣＰＵ５０の制御下で、各種情報を表示する。なお、表示デバイス６２の一例としては、各種情報を可視表示するディスプレイ、各種情報を記録用紙に印刷することで永久可視表示するプリンタ、及び各種情報を音声により可聴表示する音声再生装置等が挙げられる。
【００６７】
ガス調整装置１４は、Ｉ／Ｏ５６に接続された入出力デバイスとして第１駆動回路６４を備えている。第１駆動回路６４は、第１電磁弁３８に接続されており、ＣＰＵ５０の指示に応じて、第１電磁弁３８を駆動させる。
【００６８】
ガス調整装置１４は、Ｉ／Ｏ５６に接続された入出力デバイスとして第２駆動回路６６を備えている。第２駆動回路６６は、第２電磁弁４０に接続されており、ＣＰＵ５０の指示に応じて、第２電磁弁４０を駆動させる。
【００６９】
二次記憶部５４は、ガス調整プログラム６８を記憶している。ＣＰＵ５０は、二次記憶部５４からガス調整プログラム６８を読み出して一次記憶部５２に展開し、ガス調整プログラム６８を実行することで、制御部７６として動作する。
【００７０】
制御部７６は、ＷＩ計測器３０により計測されたＷＩを取得する。そして、制御部７６は、取得したＷＩを基に、一例として図５〜図１２に示すＷＩ範囲８０内にＷＩが収まるように調整ガスを下流側ガス流路３２Ｂに供給する制御を第１電磁弁３８及び第２電磁弁４０に対して行う。
【００７１】
なお、ＷＩ範囲８０とは、ＷＩの変動が許容される範囲として予め定められた範囲を指し、例えば、燃焼器１６によって要求される燃焼レベルを実現するために要するＷＩの理想的な範囲を指す。ＷＩの理想的な範囲とは、例えば、燃焼器１６によって要求される燃焼レベルを実現するために要するＷＩの理想的な範囲として実験やシミュレーション等によって知得された範囲を指す。
【００７２】
二次記憶部５４は、プロパン供給用テーブル７０、空気供給用テーブル７２、及び微調整用テーブル７４を記憶しており、プロパン供給用テーブル７０、空気供給用テーブル７２、及び微調整用テーブル７４の各々はＣＰＵ５０によって読み出されて参照される。
【００７３】
プロパン供給用テーブル７０及び空気供給用テーブル７２は、ＷＩ計測器３０によって計測されたＷＩがＷＩ範囲８０外の場合にＣＰＵ５０によって読み出されて参照されるテーブルである。
【００７４】
プロパン供給用テーブル７０は、ＷＩ計測器３０によって計測されたＷＩがＷＩ範囲８０の下限値８０Ｂ（図５〜図１２参照）未満の場合にＣＰＵ５０によって読み出されて参照される。プロパン供給用テーブル７０には、ＷＩの実測値であるＷＩ実測値とＷＩの理想値であるＷＩ理想値との乖離度毎に、プロパン供給源３４により下流側ガス流路３２Ｂに供給されるプロパンの供給量が対応付けられている。
【００７５】
ここで、ＷＩ実測値とは、例えば、ＷＩ計測器３０によって計測されたＷＩ、すなわち、ＣＰＵ５０がＷＩ計測器３０から取得したＷＩを指す。また、ＷＩ理想値とは、例えば、ＷＩ範囲８０の中央値を指す。
【００７６】
ＷＩ範囲８０は、燃焼器１６の各々の仕様や種類等の諸条件（以下、単に「諸条件」と称する）によって異なる。従って、本第１実施形態では、諸条件毎に定められた異なるＷＩ範囲８０から、受付デバイス６０によって受け付けられた指示に従って１つのＷＩ範囲８０が選択されて採用される。この場合、例えば、受付デバイス６０によってＷＩ範囲８０が指示されると、指示されたＷＩ範囲８０に対してＷＩ理想値が必然的に定まる。
【００７７】
なお、本第１実施形態では、上述したように、複数のＷＩ範囲８０から１つのＷＩ範囲８０が直接選択されているが、本発明はこれに限定されるものではなく、指示された諸条件に応じて１つのＷＩ範囲８０が導出されるようにしてもよい。この場合、例えば、諸条件と理想的なＷＩ範囲８０とが対応付けられた導出用テーブル又は導出用演算式から、受付デバイス６０を介して指示された諸条件に対応するＷＩ範囲８０がＣＰＵ５０によって導出されるようにすればよい。
【００７８】
また、本第１実施形態では、上述したように、ＷＩ範囲８０からＷＩ理想値が必然的に定まるが、本発明はこれに限定されるものではない。例えば、先にＷＩ理想値が決定され、決定されたＷＩ理想値を基にＷＩ範囲８０が導出されるようにしてもよいし、ＷＩ範囲８０及びＷＩ理想値の各々が個別に受付デバイス６０を介して指示されるようにしてもよい。
【００７９】
また、ＷＩ実測値とＷＩ理想値との乖離度とは、例えば、ＷＩ実測値とＷＩ理想値との差を指す。ＷＩ実測値とＷＩ理想値との差とは、例えば、ＷＩ実測値からＷＩ理想値を減じて得た値を指す。
【００８０】
このように、本第１実施形態では、ＷＩ実測値とＷＩ理想値との乖離度として、ＷＩ実測値とＷＩ理想値との差を採用しているが、本発明はこれに限定されるものではない。例えば、ＷＩ理想値に対するＷＩ実測値の割合であってもよいし、ＷＩ理想値とＷＩ実測値との和に対するＷＩ実測値の割合であってもよく、ＷＩ実測値とＷＩ理想値との乖離の度合いを示す値であれば如何なる値であってもよい。なお、以下では、説明の便宜上、ＷＩ実測値とＷＩ理想値との乖離度を、単に「乖離度」と称する。
【００８１】
空気供給用テーブル７２は、ＷＩ実測値がＷＩ範囲８０の上限値８０Ａ（図５〜図１２参照）を超えた場合にＣＰＵ５０によって読み出されて参照される。空気供給用テーブル７２には、乖離度毎に、空気供給源３６により下流側ガス流路３２Ｂに供給される空気の供給量が対応付けられている。
【００８２】
微調整用テーブル７４は、ＷＩ実測値がＷＩ範囲８０内の場合にＣＰＵ５０によって読み出されて参照されるテーブルである。微調整用テーブル７４には、乖離度毎に、プロパン供給源３４により下流側ガス流路３２Ｂに供給されるプロパンの供給量と空気供給源３６により下流側ガス流路３２Ｂに供給される空気の供給量とが対応付けられている。
【００８３】
なお、微調整用テーブルにおいて、乖離度毎に対応付けられる供給量とは、例えば、ＷＩ実測値をＷＩ理想値に一致させるために必要な供給量として実験やシミュレーション等によって知得された供給量を指す。
【００８４】
次に、燃料ガスの調整を行うための条件として予め定められたガス調整条件を満足した場合にガス調整プログラム６８がＣＰＵ５０によって実行されることで実現されるガス調整処理について、図３を参照して説明する。なお、ガス調整条件の一例としては、ガス調整処理の実行の開始の指示が受付デバイス６０によって受け付けられたとの条件や、気化器１２が稼動を開始したことをセンサ（図示省略）によって検知したとの条件等が挙げられる。
【００８５】
図３に示すガス調整処理では、先ず、ステップ１００で、制御部７６は、ＷＩ計測器３０からＷＩ実測値を取得し、その後、ステップ１０２へ移行する。
【００８６】
ステップ１０２で、制御部７６は、ステップ１００の処理で取得したＷＩ実測値がＷＩ範囲８０の上限値８０Ａを超えているか否かを判定する。
【００８７】
ステップ１０２において、ステップ１００の処理で取得したＷＩ実測値がＷＩ範囲８０の上限値８０Ａを超えている場合は、判定が肯定されて、ステップ１０４へ移行する。ステップ１０２において、ステップ１００の処理で取得したＷＩ実測値がＷＩ範囲８０の上限値８０Ａ以下の場合は、判定が否定されて、ステップ１０８へ移行する。
【００８８】
ステップ１０４で、制御部７６は、空気供給用テーブル７２に基づいて下流側ガス流路３２Ｂに空気が供給されるように第２電磁弁４０を制御し、その後、ステップ１０６へ移行する。
【００８９】
本ステップ１０４において、具体的には、先ず、制御部７６は、ステップ１００の処理で取得したＷＩ実測値とＷＩ理想値とに基づいて乖離度を算出する。そして、制御部７６は、算出した乖離度に対応する供給量を空気供給用テーブル７２から導出し、導出した供給量で空気が下流側ガス流路３２Ｂに供給されるように第２電磁弁４０を制御する。これにより、供給用ガス流路４４が開放され、空気供給用テーブル７２から導出された供給量で空気供給源３６から下流側ガス流路３２Ｂに空気が供給される。
【００９０】
ところで、吸脱着部２６に活性炭２６Ａが充填されていない状態で、気化器１２からガス流路３２に供給される燃料ガスの高沸点成分が急に大幅に増加すると、一例として図５に示すように、ＷＩ実測値も大幅に急上昇して上限値８０Ａを超えることがある。ＷＩ実測値が上限値８０Ａを超えると、ステップ１０２の処理において、判定が肯定されるので、ステップ１０４の処理が実行される。ステップ１０４の処理が実行されると、空気供給用テーブル７２から導出された供給量で下流側ガス流路３２Ｂに空気が供給されるので、ＷＩ実測値は下降してＷＩ範囲８０内に収められる。
【００９１】
しかし、一例として図５に示すように、活性炭２６Ａが充填されていない状態では、ＷＩ実測値が大幅に急上昇すると、これに対応して、吸脱着部２６の入口及び出口における燃料ガスの発熱量も大幅に急上昇する。吸脱着部２６の出口における燃料ガスの発熱量の大幅な急上昇は、燃焼器１６において安定した燃焼を実現する上で妨げになるので、燃料ガスの発熱量の上昇の勾配は、できるだけ緩やかな方が好ましい。
【００９２】
そこで、本第１実施形態に係るガス調整装置１４では、吸脱着部２６に活性炭２６Ａが充填されている。よって、気化器１２からガス流路３２に供給される燃料ガスの高沸点成分が急に大幅に増加することに伴うＷＩ実測値の大幅な急上昇は、活性炭２６Ａが充填されていない場合に比べ、抑制される。従って、吸脱着部２６の出口における燃料ガスの発熱量の大幅な急上昇も、活性炭２６Ａが充填されていない場合に比べ、抑制される。
【００９３】
吸脱着部２６にαリットルの活性炭２６Ａが充填されている場合に気化器１２からガス流路３２に供給される燃料ガスの高沸点成分が急に大幅に増加すると、一例として図６に示すように、ＷＩ実測値も急上昇して上限値８０Ａを超える。しかし、ステップ１０４の処理が実行されて、下流側ガス流路３２Ｂに空気が供給されることで、ＷＩ実測値は、ＷＩ範囲８０内に収められる。
【００９４】
ここで、図６に示す例では、燃料ガスに対して活性炭２６Ａが作用するため、燃料ガスの高沸点成分が急に大幅に増加した際のＷＩ実測値の勾配は、図５に示すＷＩ実測値の勾配よりも緩くなる。これにより、図６に示すＷＩ実測値は、上限値８０Ａを一旦超えるものの、図５に示すＷＩ実測値の最大値に達する前に、空気供給源３６から下流側ガス流路３２Ｂに空気が供給される。そのため、図６に示すＷＩ実測値は、図５に示すＷＩ実測値ほど上昇することなく下降して、ＷＩ範囲８０内に収められる。
【００９５】
また、吸脱着部２６にβリットル（＞αリットル）の活性炭２６Ａが充填されている場合に気化器１２からガス流路３２に供給される燃料ガスの高沸点成分が急に大幅に増加すると、一例として図７に示すように、ＷＩ実測値も急上昇して上限値８０Ａを超える。しかし、ステップ１０４の処理が実行されて、下流側ガス流路３２Ｂに空気が供給されることで、ＷＩ実測値は、ＷＩ範囲８０内に収められる。
【００９６】
ここで、図７に示す例では、図６に示す例に比べ、燃料ガスに対して多くの活性炭２６Ａが作用するため、燃料ガスの高沸点成分が急に大幅に増加した際のＷＩ実測値の勾配は、図６に示すＷＩ実測値の勾配よりも緩くなる。これにより、図７に示すＷＩ実測値は、上限値８０Ａを一旦超えるものの、図６に示すＷＩ実測値の最大値に達する前に、空気供給源３６から下流側ガス流路３２Ｂに空気が供給される。そのため、図７に示すＷＩ実測値は、図６に示すＷＩ実測値ほど上昇することなく下降して、ＷＩ範囲８０内に収められる。
【００９７】
ステップ１０８で、制御部７６は、ステップ１００の処理で取得したＷＩ実測値がＷＩ範囲８０の下限値８０Ｂ未満か否かを判定する。
【００９８】
ステップ１０８において、ステップ１００の処理で取得したＷＩ実測値がＷＩ範囲８０の下限値８０Ｂ未満の場合は、判定が肯定されて、ステップ１１０へ移行する。ステップ１０８において、ステップ１００の処理で取得したＷＩ実測値がＷＩ範囲８０の下限値８０Ｂ以上の場合は、判定が否定されて、ステップ１１２へ移行する。
【００９９】
ステップ１１０で、制御部７６は、プロパン供給用テーブル７０に基づいて下流側ガス流路３２Ｂにプロパンが供給されるように第１電磁弁３８を制御し、その後、ステップ１０６へ移行する。
【０１００】
本ステップ１１０において、具体的には、先ず、制御部７６は、ステップ１００の処理で取得したＷＩ実測値とＷＩ理想値とに基づいて乖離度を算出する。そして、制御部７６は、算出した乖離度に対応する供給量をプロパン供給用テーブル７０から導出し、導出した供給量でプロパンが下流側ガス流路３２Ｂに供給されるように第１電磁弁３８を制御する。これにより、供給用ガス流路４２が開放され、プロパン供給用テーブル７０から導出された供給量でプロパン供給源３４から下流側ガス流路３２Ｂにプロパンが供給される。
【０１０１】
ところで、吸脱着部２６に活性炭２６Ａが充填されていない状態で、気化器１２からガス流路３２に供給される燃料ガスの低沸点成分が急に大幅に減少すると、一例として図９に示すように、ＷＩ実測値も大幅に急下降して下限値８０Ｂを下回ることがある。ＷＩ実測値が下限値８０Ｂを下回ると、ステップ１０８の処理において、判定が肯定されるので、ステップ１１０の処理が実行される。ステップ１１０の処理が実行されると、プロパン供給用テーブル７０から導出された供給量で下流側ガス流路３２Ｂにプロパンが供給されるので、ＷＩ実測値は上昇してＷＩ範囲８０内に収められる。
【０１０２】
しかし、一例として図９に示すように、活性炭２６Ａが充填されていない状態では、ＷＩ実測値が大幅に急下降すると、これに対応して、吸脱着部２６の入口及び出口における燃料ガスの発熱量も大幅に急下降する。吸脱着部２６の出口における燃料ガスの発熱量の急下降は、燃焼器１６において安定した燃焼を実現する上で妨げになるので、燃料ガスの発熱量の下降の勾配は、できるだけ緩やかな方が好ましい。
【０１０３】
ガス調整装置１４では、燃料ガスに対して活性炭２６Ａが作用するため、気化器１２からガス流路３２に供給される燃料ガスの低沸点成分が急に大幅に減少することに伴うＷＩ実測値の大幅な急下降は、活性炭２６Ａが充填されていない場合に比べ、抑制される。従って、吸脱着部２６の出口における燃料ガスの発熱量の大幅な急下降も、活性炭２６Ａが充填されていない場合に比べ、抑制される。
【０１０４】
吸脱着部２６にαリットルの活性炭２６Ａが充填されている場合に気化器１２からガス流路３２に供給される燃料ガスの低沸点成分が急に大幅に増加すると、一例として図１０に示すように、ＷＩ実測値が急下降して下限値８０Ｂを下回る。しかし、ステップ１０４の処理が実行されて、下流側ガス流路３２Ｂに空気が供給されることで、ＷＩ実測値は、ＷＩ範囲８０内に収められる。
【０１０５】
ここで、図１０に示す例では、燃料ガスに対して活性炭２６Ａが作用するため、燃料ガスの低沸点成分が急に大幅に増加した際のＷＩ実測値の勾配は、図９に示すＷＩ実測値の勾配よりも緩くなる。これにより、図１０に示すＷＩ実測値は、下限値８０Ｂを一旦下回るものの、図９に示すＷＩ実測値の最小値に達する前に、プロパン供給源３４から下流側ガス流路３２Ｂにプロパンが供給される。そのため、図１０に示すＷＩ実測値は、図９に示すＷＩ実測値ほど下降することなく上昇して、ＷＩ範囲８０内に収められる。
【０１０６】
また、吸脱着部２６にβリットルの活性炭２６Ａが充填されている場合に気化器１２からガス流路３２に供給される燃料ガスの低沸点成分が急に大幅に増加すると、一例として図１１に示すように、ＷＩ実測値が急下降して下限値８０Ｂを下回る。しかし、ステップ１０４の処理が実行されて、下流側ガス流路３２Ｂにプロパンが供給されることで、ＷＩ実測値は、ＷＩ範囲８０内に収められる。
【０１０７】
ここで、図１１に示す例では、図１０に示す例に比べ、燃料ガスに対して多くの活性炭２６Ａが作用するため、燃料ガスの低沸点成分が急に大幅に増加した際のＷＩ実測値の勾配は、図１０に示すＷＩ実測値の勾配よりも緩くなる。これにより、図１１に示すＷＩ実測値は、下限値８０Ｂを一旦下回るものの、図１０に示すＷＩ実測値の最小値に達する前に、プロパン供給源３４から下流側ガス流路３２Ｂにプロパンが供給される。そのため、図１１に示すＷＩ実測値は、図１０に示すＷＩ実測値ほど下降することなく上昇して、ＷＩ範囲８０内に収められる。
【０１０８】
ステップ１１２で、制御部７６は、一例として図４に示すＷＩ保持処理を実行し、その後、ステップ１０６へ移行する。
【０１０９】
図４に示すＷＩ保持処理では、先ず、ステップ１１２Ａで、制御部７６は、ステップ１００の処理で取得したＷＩ実測値が、許容範囲内か否かを判定する。ここで、許容範囲とは、例えば、ＷＩ理想値を中央値とした範囲で、かつ、ＷＩ範囲よりも狭い範囲（例えば、ＷＩ範囲８０の１／１０程度の範囲）を指す。
【０１１０】
ステップ１１２Ａにおいて、ステップ１００の処理で取得したＷＩ実測値が許容範囲内の場合は、判定が肯定されて、本ＷＩ保持処理を終了し、図３に示すステップ１０６へ移行する。ステップ１１２Ａにおいて、ステップ１００の処理で取得したＷＩ実測値が許容範囲外の場合は、判定が否定されて、ステップ１１２Ｂへ移行する。
【０１１１】
ステップ１１２Ｂで、制御部７６は、ステップ１００の処理で取得したＷＩ実測値とＷＩ理想値とに基づいて乖離度を算出する。そして、制御部７６は、算出した乖離度に基づいて微調整用テーブル７４から下流側ガス流路３２Ｂへのプロパンの供給量及び空気の供給量を導出する。すなわち、制御部７６は、算出した乖離度に対応する供給量を微調整用テーブル７４から導出し、その後、ステップ１１２Ｃへ移行する。
【０１１２】
ステップ１１２Ｃで、制御部７６は、ステップ１１２Ｂの処理で導出した供給量でプロパン及び空気が上流側ガス流路３２Ａに供給されるように第１電磁弁３８及び第２電磁弁４０を制御し、その後、本ＷＩ保持処理を終了し、図３に示すステップ１０６へ移行する。
【０１１３】
ステップ１１２Ｃの処理が実行されることによって第１電磁弁３８が駆動されると、供給用ガス流路４２が開放され、微調整用テーブル７４から導出された供給量でプロパン供給源３４から下流側ガス流路３２Ｂにプロパンが供給される。また、ステップ１１２Ｃの処理が実行されることによって第２電磁弁４０が駆動されると、供給用ガス流路４４が開放され、微調整用テーブル７４から導出された供給量で空気供給源３６から下流側ガス流路３２Ｂに空気が供給される。
【０１１４】
ステップ１１２Ｂの処理が実行されることによって導出されたプロパンの供給量が“０”の場合、第１電磁弁３８は駆動しないため、供給用ガス流路４２は開放されず、下流側ガス流路３２Ｂにプロパンは供給されない。また、ステップ１１２Ｂの処理が実行されることによって導出された空気の供給量が“０”の場合、第２電磁弁４０は駆動しないため、供給用ガス流路４４は開放されず、下流側ガス流路３２Ｂに空気は供給されない。
【０１１５】
なお、ステップ１１２Ｃでは、制御部７６が、ステップ１１２Ｂの処理で導出された供給量をそのまま採用しているが、本発明はこれに限定されるものではない。例えば、制御部７６は、予め定められた期間における乖離度の変化の傾向に基づいて調整して得た供給量を採用するようにしてもよい。ここで、予め定められた期間とは、例えば、ＷＩ実測値がＷＩ範囲８０内に収まり続けている期間を指す。
【０１１６】
また、本第１実施形態では、ステップ１１２Ｃの処理が実行されることで、第１電磁弁３８及び第２電磁弁４０が同時に駆動されるが、本発明はこれに限定されるものではなく、第１電磁弁３８及び第２電磁弁４０が時間的に前後して駆動されてもよい。また、制御部７６は、第１電磁弁３８及び第２電磁弁４０を同時に駆動させるか、時間的に前後して駆動させるかを、例えば、乖離度に応じて決定するようにしてもよい。例えば、制御部７６は、第１電磁弁３８及び第２電磁弁４０を同時に駆動させるか、時間的に前後して駆動させるかを、予め定められた期間の乖離度の変化の傾向に基づいて決定するようにしてもよい。
【０１１７】
ここで、例えば、吸脱着部２６にγリットル（＞βリットル）の活性炭２６Ａが充填されている場合、図７及び図１１に示す例に比べ、燃料ガスに対して多くの活性炭２６Ａが作用する。そのため、燃料ガスの含有成分の組成比が大幅に急変したとしても、一例として図８及び図１２に示すように、ＷＩ実測値は、ＷＩ範囲８０内から逸脱せず、ＷＩ保持処理が実行されることで、ＷＩ範囲８０内に保持される。従って、吸脱着部２６の出口における燃料ガスの発熱量の変動も抑制される。
【０１１８】
一方、図３に示すステップ１０６で、制御部７６は、ガス調整処理を終了する条件として予め定められた終了条件（例えば、ガス調整処理の終了の指示が受付デバイス６０によって受け付けられたとの条件）を満足したか否かを判定する。
【０１１９】
ステップ１０６において、終了条件を満足していない場合は、判定が否定されて、ステップ１００へ移行する。ステップ１０６において、終了条件を満足した場合は、判定が肯定されて、本ガス調整処理を終了する。
【０１２０】
以上説明したように、燃焼システム１０Ａでは、制御部７６により、ＷＩ実測値を基に、ＷＩ実測値がＷＩ範囲８０内に収まるように調整ガスを下流側ガス流路３２Ｂに供給する制御が供給部２８に対して行われる。
【０１２１】
従って、燃焼システム１０Ａは、活性炭２６Ａを使用することのみで、又は、ＷＩに応じて燃料ガスに空気を添加することのみで燃料ガスの燃焼の安定化を図る場合に比べ、燃料ガスの燃焼を安定させることができる。
【０１２２】
また、燃焼システム１０Ａでは、吸脱着部２６を通過した燃料ガスに関するＷＩがＷＩ計測器３０によって計測される。そのため、燃料ガスの含有成分の組成比の大幅な急変に伴うＷＩ実測値の大幅な急変の勾配は、上流側ガス流路３２ＡでのＷＩ実測値の大幅な急変の勾配に比べ、緩やか勾配になる。よって、燃焼システム１０Ａでは、ガス調整処理がＣＰＵ５０によって実行されることで、ＷＩ実測値の大幅な急変の抑制に必要な調整ガスが、ＷＩ実測値がＷＩ範囲８０外になる前に、下流側ガス流路３２Ｂに供給される。
【０１２３】
従って、燃焼システム１０Ａは、上流側ガス流路３２Ａで得たＷＩ実測値を基に上流側ガス流路３２Ａに調整ガスを供給する制御を行う場合に比べ、燃料ガスの含有成分の組成比の大幅な急変に伴うＷＩ実測値のＷＩ範囲８０内からの逸脱を抑制することができる。
【０１２４】
また、燃焼システム１０Ａでは、ＷＩ実測値が下限値８０Ｂを下回った場合に、ＷＩ実測値がＷＩ範囲８０内に収まるようにプロパンを下流側ガス流路３２Ｂに供給する制御が供給部２８に対して行われる。
【０１２５】
従って、燃焼システム１０Ａは、下限値８０Ｂとは異なる値を参照してプロパンの供給の制御を行う場合に比べ、ＷＩ実測値がＷＩ範囲８０外に下降したとしても、ＷＩ実測値をＷＩ範囲８０内に高精度に収めることができる。
【０１２６】
また、燃焼システム１０Ａでは、ＷＩ実測値が下限値８０Ｂを下回った場合に、乖離度に応じて定められた供給量でプロパンを下流側ガス流路３２Ｂに供給する制御が供給部２８に対して行われる。
【０１２７】
従って、燃焼システム１０Ａは、乖離度とは無関係に定められた供給量でプロパンの供給を行う場合に比べ、ＷＩ実測値がＷＩ範囲８０外に下降したとしても、ＷＩ実測値をＷＩ理想値に高精度に近付けることができる。
【０１２８】
また、燃焼システム１０Ａでは、ＷＩ実測値が上限値８０Ａを超えた場合に、ＷＩ実測値がＷＩ範囲８０内に収まるように空気を下流側ガス流路３２Ｂに供給する制御が供給部２８に対して行われる。
【０１２９】
従って、燃焼システム１０Ａは、上限値８０Ａとは異なる値を参照して空気の供給の制御を行う場合に比べ、ＷＩ実測値がＷＩ範囲８０外に上昇したとしても、ＷＩ実測値をＷＩ範囲８０内に高精度に収めることができる。
【０１３０】
また、燃焼システム１０Ａでは、ＷＩ実測値が上限値８０Ａを超えた場合に、乖離度に応じて定められた供給量で空気を下流側ガス流路３２Ｂに供給する制御が供給部２８に対して行われる。
【０１３１】
従って、燃焼システム１０Ａは、乖離度とは無関係に定められた供給量で空気の供給を行う場合に比べ、ＷＩ実測値がＷＩ範囲８０外に上昇したとしても、ＷＩ実測値をＷＩ理想値に高精度に近付けることができる。
【０１３２】
また、燃焼システム１０Ａでは、ＷＩ実測値がＷＩ範囲８０内の場合に、ＷＩ実測値がＷＩ範囲８０内に保持されるように調整ガスを下流側ガス流路３２Ｂに供給する制御が供給部２８に対して行われる。
【０１３３】
従って、燃焼システム１０Ａは、ＷＩ実測値がＷＩ範囲８０内の場合に供給部２８に対して制御が全く行われない場合に比べ、ＷＩ範囲８０内に収められたＷＩ実測値がＷＩ範囲８０外に逸脱することを抑制することができる。
【０１３４】
また、燃焼システム１０Ａでは、供給部２８により、燃料ガスの含有成分に相当するガスであるプロパンが下流側ガス流路３２Ｂに供給される。
【０１３５】
従って、燃焼システム１０Ａは、燃料ガスの含有成分に相当するガス以外のガスが下流側ガス流路３２Ｂに供給される場合に比べ、燃料ガスの含有成分の組成比を容易に調整することができる。
【０１３６】
また、燃焼システム１０Ａでは、供給部２８により、空気が下流側ガス流路３２Ｂに供給される。
【０１３７】
従って、燃焼システム１０Ａは、空気以外のガスが下流側ガス流路３２Ｂに供給される場合に比べ、燃料ガスの含有成分の組成比を低コストで調整することができる。
【０１３８】
なお、上記第１実施形態では、図３に示すガス調整処理がＣＰＵ５０によって実行されるが、本発明はこれに限定されるものではない。例えば、図３に示すガス調整処理のうちのステップ１００，１０６，１１２のみの処理が所定時間（例えば、１秒）毎にＣＰＵ５０によって実行されるようにしてもよい。この場合、例えば、ＷＩ保持処理のうちのステップ１１２Ｂ，１１２Ｃのみの処理がＣＰＵ５０によって実行されるようにしてもよい。
【０１３９】
また、上記第１実施形態では、ＷＩ保持処理にステップ１１２Ａの処理が含まれているが、ステップ１１２Ａの処理に代えて、例えば、ＷＩ実測値がＷＩ理想値に一致しているか否かを判定する処理を適用してもよい。
【０１４０】
［第２実施形態］
上記第１実施形態では、下流側ガス流路３２Ｂに供給部２８及びＷＩ計測器３０が設けられている場合について説明したが、本第２実施形態では、上流側ガス流路３２Ａに供給部２０２及びＷＩ計測器２０４が設けられている場合について説明する。なお、本第２実施形態では、上記第１実施形態と同一の部材については同一の符号を付し、その説明を省略する。
【０１４１】
一例として図１３に示すように、本第２実施形態に係る燃焼システム１０Ｂは、上記第１実施形態に係る燃焼システム１０Ａに比べ、ガス調整装置１４に代えてガス調整装置２００を有する点が異なる。
【０１４２】
ガス調整装置２００は、ガス調整装置１４に比べ、供給部２８に代えて供給部２０２を有する点、及びＷＩ計測器３０に代えてＷＩ計測器２０４を有する点が異なる。
【０１４３】
供給部２０２は、供給部２８に比べ、供給用ガス流路４２，４４が下流側ガス流路３２Ｂに代えて上流側ガス流路３２Ａに接続されている点が異なる。
【０１４４】
ＷＩ計測器２０４は、ＷＩ計測器３０に比べ、下流側ガス流路３２Ｂに代えて上流側ガス流路３２Ａに接続されている点が異なる。
【０１４５】
このように構成された燃焼システム１０Ｂにおいても、上記第１実施形態と同様にＣＰＵ５０によってガス調整処理が実行されることで、上記第１実施形態と同様の作用及び効果を奏する。
【０１４６】
また、燃焼システム１０Ｂでは、吸脱着部２６を通過する前の燃料ガスに関するＷＩがＷＩ計測器３０によって計測される。そのため、燃料ガスの含有成分の組成比の大幅な急変に伴うＷＩ実測値の大幅な急変の勾配は、燃料ガスの含有成分の組成比の大幅な急変に伴う下流側ガス流路３２ＢでのＷＩ実測値の大幅な急変の勾配に比べ、急な勾配になる。このような大幅な急変に対応すべく、燃焼システム１０Ｂでは、ＷＩ実測値の大幅な急変の抑制に必要な調整ガスが必要な量だけ、ＷＩ実測値がＷＩ範囲８０外（ステップ１０２，１０８：Ｙ）になったことを条件に、上流側ガス流路３２Ａに供給される。
【０１４７】
よって、燃焼システム１０Ｂは、下流側ガス流路３２Ｂで得たＷＩ実測値を基に下流側ガス流路３２Ｂに調整ガスを供給する制御を行う場合に比べ、燃料ガスの含有成分の組成比の大幅な急変に伴うＷＩ実測値の大幅な急変を即時的に抑制することができる。また、燃焼システム１０Ｂは、下流側ガス流路３２Ｂで得たＷＩ実測値を基に下流側ガス流路３２Ｂに調整ガスを供給する制御を行う場合に比べ、ＷＩ実測値の大幅な急変を抑制するのに必要な制御に要する時間を短くすることができる。このように、制御に要する時間を短くすることで、省電力の効果が期待できる。
【０１４８】
なお、上記各実施形態では、ガス調整処理にＷＩ保持処理が含まれる場合について説明したが、本発明はこれに限定されるものではなく、ガス調整処理にＷＩ保持処理が含まれていなくても本発明は成立する。
【０１４９】
また、上記各実施形態では、ＷＩ実測値がＷＩ範囲８０内にあるか否かが判定され、かつ、ＷＩ実測値が許容範囲内にあるか否かが判定され、各々の判定結果に応じた制御が行われているが、本発明はこれに限定されるものではない。
【０１５０】
例えば、上記第１実施形態については、制御部７６により、ＷＩ実測値がＷＩ理想値と一致しているか否かが判定され、一致していない場合に、乖離度に応じて定められた供給量で調整ガスが下流側ガス流路３２Ｂに供給される制御が行われるようにしてもよい。また、上記第２実施形態については、制御部７６により、ＷＩ実測値がＷＩ理想値と一致しているか否かが判定され、一致していない場合に、乖離度に応じて定められた供給量で調整ガスが上流側ガス流路３２Ａに供給される制御が行われるようにしてもよい。
【０１５１】
また、上記各実施形態では、供給部２８によりガス流路３２にプロパンが供給される場合を例示したが、本発明はこれに限定されるものではない。例えば、供給部２８によりプロパンに代えてガス流路３２に供給されるガスは、燃料ガスの発熱量を上げるガスであればよい。燃料ガスの発熱量を上げるガスとは、例えば、低沸点成分であるメタンよりも高い発熱量のガスを指す。具体的には、例えば、液化石油ガス（ＬＰＧ）や、エタン、ブタン等が挙げられる。また、供給部２８によりプロパンに代えてガス流路３２に供給されるガスは、燃料ガスの含有成分に相当するガスであることが好ましい。
【０１５２】
また、上記各実施形態では、供給部２８によりガス流路３２に空気が供給される場合を例示したが、本発明はこれに限定されるものではない。例えば、供給部２８により空気に代えてガス流路３２に供給されるガスは、燃料ガスの発熱量を下げるガスであればよい。燃料ガスの発熱量を下げるガスとは、例えば、低沸点成分であるメタンよりも低い発熱量のガスを指す。具体的には、例えば、窒素や水素等が挙げられる。
【０１５３】
また、上記各実施形態では、ＷＩを例示したが、本発明はこれに限定されるものではなく、例えば、ＷＩに代えて燃焼速度を採用してもよい。このように、燃料ガスに関する燃焼性を示す指標であれば如何なる指標も適用可能である。
【０１５４】
また、上記各実施形態では、プロパン供給用テーブル７０、空気供給用テーブル７２、及び微調整用テーブル７４を例示したが、本発明はこれに限定されるものではない。例えば、プロパン供給用テーブル７０に代えて、乖離度を独立変数とし、ガス流路３２へのプロパンの供給量を従属変数とした演算式を採用してもよい。また、例えば、空気供給用テーブル７２に代えて、乖離度を独立変数とし、ガス流路３２への空気の供給量を従属変数とした演算式を採用してもよい。更に、例えば、微調整用テーブル７４に代えて、乖離度を独立変数とし、ガス流路３２への空気の供給量及びプロパンの供給量を従属変数とした演算式を採用してもよい。
【０１５５】
また、上記各実施形態では、供給部２８によりプロパン及び空気がガス流路３２に供給されているが、燃焼システム１０Ａ（１０Ｂ）の仕様次第で、プロパン及び空気の何れかのみがガス流路３２に供給されてもよい。例えば、燃焼システム１０Ｂにおいて、燃焼器１６として、燃料ガスの発熱量を上げる必要がない仕様の燃焼器が採用されている場合には、空気のみが上流側ガス流路３２Ａに供給されれば足りる。この場合、供給部２８からプロパン供給源３４、第１電磁弁３８、及び供給用ガス流路４２を削減することができる。また、燃焼システム１０Ｂにおいて、燃焼器１６として、燃料ガスの発熱量を下げる必要がない仕様の燃焼器が採用されている場合には、プロパンのみが上流側ガス流路３２Ａに供給されれば足りる。この場合、供給部２８から空気供給源３６、第２電磁弁４０、及び供給用ガス流路４４を削減することができる。
【０１５６】
また、上記各実施形態では、ＷＩ計測器３０（２０４）によってＷＩが計測される場合について説明したが、本発明はこれに限定されるものではない。例えば、ＷＩが制御装置３１によって計測されるようにしてもよい。また、気化器１２内（例えば、気化器１２の排出口）の燃料ガスに関するＷＩを計測するＷＩ計測器を気化器１２に設置し、気化器１２のＷＩ計測器によって計測されたＷＩを制御装置３１が取得するようにしてもよい。
【０１５７】
また、上記各実施形態では、ガス調整プログラム６８を二次記憶部５４から読み出す場合を例示しているが、必ずしも最初から二次記憶部５４に記憶させておく必要はない。例えば、ガス調整装置１４に接続されて使用される可搬型の記憶媒体に先ずはガス調整プログラム６８を記憶させておいてもよい。そして、ＣＰＵ５０がこれらの可搬型の記憶媒体からガス調整プログラム６８を取得して実行するようにしてもよい。また、通信手段を介してガス調整装置１４に接続されるコンピュータ又はサーバ装置等の外部電子計算機の記憶部にガス調整プログラム６８を記憶させておいてもよい。この場合、ＣＰＵ５０は外部電子計算機からガス調整プログラム６８を取得して実行する。
【符号の説明】
【０１５８】
１０Ａ，１０Ｂ  燃焼システム
１４，２００  ガス調整装置
１６  燃焼器
２６  吸脱着部
２８，２０２  供給部
６８  ガス調整プログラム
７６  制御部
【図１】
2016191024.tif 000003
【図２】
2016191024.tif 000004
【図３】
2016191024.tif 000005
【図４】
2016191024.tif 000006
【図５】
2016191024.tif 000007
【図６】
2016191024.tif 000008
【図７】
2016191024.tif 000009
【図８】
2016191024.tif 000010
【図９】
2016191024.tif 000011
【図１０】
2016191024.tif 000012
【図１１】
2016191024.tif 000013
【図１２】
2016191024.tif 000014
【図１３】
2016191024.tif 000015